(57)【要約】【課題】紙材及び輪ゴムを手腕部に保持することが可能であり、輪ゴムの保持位置を任意に設定することができ、理美容作業を阻害しない理美容器具を提供する。【解決手段】理美容器具１０は、人間の手腕部Ｈに着脱可能な円筒状の把持具１１と、紙材Ｐを取り出し自在に収納した状態で把持具１１の外周面に取り付けられた直方体箱状の紙材収納部１２と、紙材収納部１２の外面に着脱可能に装着される複数の輪ゴムホルダ１３と、輪ゴムＲに張力を与えて広げた状態で着脱可能に保持するため輪ゴムホルダ１３に設けられた輪ゴム保持具１４と、を備えている。紙材収納部１２に対する輪ゴムホルダ１３の装着手段として、紙材収納部１２の複数の外面にそれぞれ面ファスナ１２ｆが貼着され、輪ゴムホルダ１３の輪ゴム保持具１４の基端部１４ａの外面に面ファスナ１４ｆが貼着されている。【選択図】図１
2013116211.tif 000002
【特許請求の範囲】
【請求項１】
人間の手腕部に着脱可能な筒状若しくは帯状の把持具と、紙材を取り出し自在に収納した状態で前記把持具に取り付けられた紙材収納部と、前記紙材収納部の外面に着脱可能に装着される少なくとも一つの輪ゴムホルダと、輪ゴムに張力を与えた状態で着脱可能に保持するため前記輪ゴムホルダに設けられた輪ゴム保持具と、を備えたことを特徴とする理美容器具。
【請求項２】
前記輪ゴム保持具として、コ字状若しくはＵ字状の輪ゴム保持具を設けた請求項１記載の理美容器具。
【請求項３】
前記紙材収納部に対する前記輪ゴムホルダの装着手段として面ファスナを用いた請求項１または２記載の理美容器具。
【発明の詳細な説明】
【技術分野】
【０００１】
本発明は、理容師や美容師がパーマネント作業を行う際に使用する紙材や輪ゴムを身に付けておくために使用する理美容器具に関する。
【背景技術】
【０００２】
理容師や美容師がパーマネント作業を行う際に使用する紙材や輪ゴムなどは、従来、作業台の上に置かれていたが、パーマネント作業中は、紙材や輪ゴム以外に多種多様の資材や器具などが使用されるので、置き場所の確保が困難であった。
【０００３】
そこで、パーマネント作業中、理容師や美容師が紙材や輪ゴムを身に付けておくことのできる器具が提案されている（例えば、特許文献１参照。）。
【先行技術文献】
【特許文献】
【０００４】
【特許文献１】特開２００６−２８０５２５号公報
【発明の概要】
【発明が解決しようとする課題】
【０００５】
特許文献１記載の「コールドパーマ用ペーパーケースとワィンディング用ゴムホルダープレート」は、理容師や美容師がパーマネント作業中に使用する紙材や輪ゴムを腕部分に保持しておくことができるので便利であるが、輪ゴムの保持位置が制限されるので、不便である。また、理容師や美容師がパーマネント作業中などに腕を動かすと、ゴムホルダープレートに保持されている輪ゴムが揺動するので、理美容作業の邪魔になることがある。
【０００６】
本発明が解決しようとする課題は、紙材及び輪ゴムを手腕部に保持することが可能であり、輪ゴムの保持位置を任意に設定することができ、理美容作業を阻害しない理美容器具を提供することにある。
【課題を解決するための手段】
【０００７】
本発明の理美容器具は、手腕部に着脱可能な筒状若しくは帯状の把持具と、紙材を取り出し自在に収納した状態で前記把持具に取り付けられた紙材収納部と、前記紙材収納部の外面に着脱可能に装着される少なくとも一つの輪ゴムホルダと、輪ゴムに張力を与えた状態で着脱可能に保持するため前記輪ゴムホルダに設けられた輪ゴム保持具と、を備えたことを特徴とする。
【０００８】
このような構成とすれば、紙材収納部及び輪ゴムホルダを有する把持具を手腕部に装着することにより、紙材及び輪ゴムを手腕部に保持することが可能であり、輪ゴムホルダは紙材収納部の外面に着脱可能であるため、輪ゴムの保持位置を任意に設定することができる。また、輪ゴムは張力を与えた状態で輪ゴム保持具に保持されるので、輪ゴムが揺動することがなく、理美容作業を阻害することもない。
【０００９】
ここで、前記輪ゴム保持具として、コ字状若しくはＵ字状の輪ゴム保持具を設けることが望ましい。
【００１０】
このような構成とすれば、極めて簡素な構造でありながら、輪ゴムを確実に保持することができ、輪ゴムの着脱も容易である。
【００１１】
また、前記紙材収納部に対する前記輪ゴムホルダの装着手段として面ファスナを用いることが望ましい。
【００１２】
このような構成とすれば、前記紙材収納部に対して前記輪ゴムホルダを任意の姿勢で装着することができ、着脱性も良好である。
【発明の効果】
【００１３】
本発明により、紙材及び輪ゴムを手腕部に保持することが可能であり、輪ゴムの保持位置を任意に設定することができ、理美容作業を阻害しない理美容器具を提供することができる。
【図面の簡単な説明】
【００１４】
【図１】本発明の実施形態である理美容器具を示す分解斜視図である。
【図２】図１に示す理美容器具の使用状態を示す斜視図である。
【図３】図１に示す理美容器具のその他の使用状態を示す斜視図である。
【発明を実施するための形態】
【００１５】
以下、図１〜図３に基づいて、本発明の実施形態である理美容器具１０について説明する。図１に示すように、理美容器具１０は、人間の手腕部Ｈに着脱可能な円筒状の把持具１１と、紙材Ｐを取り出し自在に収納した状態で把持具１１の外周面に取り付けられた直方体箱状の紙材収納部１２と、紙材収納部１２の外面に着脱可能に装着される複数の輪ゴムホルダ１３と、輪ゴムＲに張力を与えて広げた状態で着脱可能に保持するため輪ゴムホルダ１３に設けられた輪ゴム保持具１４と、を備えている。
【００１６】
把持具１１は伸縮性を有し、手腕部Ｈの皮膚に負担を与えない柔軟な素材で形成されている。把持具１１は周方向に連続した円筒状であるが、これに限定しないので、腕時計のバンドのように、一部に開閉式の着脱部を設けた帯状の素材で形成することもできる。なお、把持具１１のサイズは限定しないが、使用する人の手腕部Ｈのサイズに応じて、複数種類用意しておくことが望ましい。
【００１７】
輪ゴム保持具１４はコ字状に形成されているが、これに限定しないので、輪ゴムＲに張力を与えて広げた状態で保持することのできる形状であれば、例えば、Ｕ字状に形成することもできる。
【００１８】
また、紙材収納部１２に対する輪ゴムホルダ１３の装着手段として、紙材収納部１２の複数の外面にそれぞれ面ファスナ１２ｆが貼着され、輪ゴムホルダ１３の輪ゴム保持具１４の基端部１４ａの外面に面ファスナ１４ｆが貼着されている。なお、面ファスナ１２ｆ，１４ｆは、一般に「マジックテープ（登録商標）」などと呼ばれるものを使用することができる。さらに、紙材収納部１２を面ファスナ（図示せず）を介して把持具１１の外周面に取り付けることにより、紙材収納部１２全体が把持具１１の外周面の任意の場所に着脱可能である構成とすることもできる。
【００１９】
理美容器具１０は、紙材収納部１２及び輪ゴムホルダ１３を有する把持具１３を手腕部Ｈに装着することにより、紙材Ｐ及び輪ゴムＲを手腕部Ｈに保持することが可能であり、輪ゴムホルダ１３は紙材収納部１２の外面のいずれに対しても着脱可能であるため、輪ゴムＲの保持位置を任意に設定することができる。また、輪ゴムＲは張力を与えた状態で輪ゴム保持具１４に保持されるので、手腕部Ｈを動かしても輪ゴムＲが揺動することがなく、理美容作業を阻害することもない。
【００２０】
また、輪ゴムホルダ１３にはコ字状の輪ゴム保持具１４を設けているため、極めて簡素な構造でありながら、複数の輪ゴムＲを確実に保持することができ、輪ゴムＲの着脱も容易である。
【００２１】
さらに、紙材収納部１２に対する輪ゴムホルダ１３の装着手段として面ファスナ１２ｆ，１４ｆを用いているため、紙材収納部１２に対して輪ゴムホルダ１３を任意の姿勢で装着することができ、着脱性も良好である。
【００２２】
次に、図２，図３に基づいて、理美容器具１０の使い方について説明する。理美容器具１０の使い方は限定しないので、理容師や美容師の好みに応じて自由に使用することができる。
【００２３】
図２は、紙材収納部１２に対して１つの輪ゴムホルダ１３を装着した使用状態を示している。輪ゴムホルダ１３は、紙材収納部１２の外面のいずれの位置にも着脱可能であるため、図１に示す使用状態に限定されることなく、作業条件に適した位置に輪ゴムホルダ１３を装着することにより、作業性及び作業効率を向上させることができる。
【００２４】
次に、図３は、紙材収納部１２に対して複数の輪ゴムホルダ１３を装着した使用状態を示している。前述と同様、複数の輪ゴムホルダ１３は、紙材収納部１２の外面のいずれの位置にも着脱可能であるため、図３に示す使用状態に限定されることなく、作業条件に適した複数の位置にそれぞれ輪ゴムホルダ１３を装着することにより、作業性及び作業効率を向上させることができる。
【００２５】
なお、図１〜図３に示す理美容器具１０は、本発明の理美容器具を例示するものであって、本発明の理美容器具は理美容器具１０に限定されない。
【産業上の利用可能性】
【００２６】
本発明の理美容器具は、理容院や美容院などにおいて広く利用することができる。
【符号の説明】
【００２７】
１０  理美容器具
１１  把持具
１２  紙材収納部
１２ｆ，１４ｆ  面ファスナ
１３  輪ゴムホルダ
１４  輪ゴム保持具
１４ａ  基端部
Ｈ  手腕部
Ｐ  紙材
Ｒ  輪ゴム
【図１】
2013116211.tif 000003
【図２】
2013116211.tif 000004
【図３】
2013116211.tif 000005